(57)【特許請求の範囲】
【請求項１】
内容物を充填する容器本体と、この容器本体の口部にて保持されるベースと、このベースにおいて押圧可能に取り付けられるヘッドと、このヘッドの押圧にて容器本体内の内容物を排出する長尺ノズルとを備える容器であって、
前記ヘッドは、傾斜面を有し長尺ノズルを一体的に保持するノズルヘッド部と、このノズルヘッド部の傾斜面に適合する合せ面を有し該合せ面に沿って前記ノズルヘッド部を回動自在に保持するヘッド基部とからなり、
前記ノズルヘッド部は、ヘッド基部に対する回動にて、長尺ノズルを容器本体の軸心に沿わせる収納姿勢と該長尺ノズルを引き起こした注出姿勢とに切り換える切り換え機能を有するものであることを特徴とする長尺ノズルを備える容器。
【請求項２】
前記ノズルヘッド部に設けられたストッパ面と、前記ベースに形成されたストッパ突起とからなり、このストッパ突起に、前記ノズルヘッド部のストッパ面が当該ノズルヘッド部の回動によって接触することにより、前記ノズルヘッド部の回動量を制限する位置決め機構を備える請求項１に記載の容器。
【請求項３】
前記ヘッド基部に形成されたストッパ突起又はストッパ溝と、前記ベースに形成されたストッパ溝又はストッパ突起とからなり、このストッパ溝又はストッパ突起に、前記ヘッド基部のストッパ突起又はストッパ溝が接触することにより、前記ヘッド基部の回動を防止する回り止め機構を備える請求項１または２に記載の容器。
【請求項４】
前記長尺ノズルは、その先端部に着脱自在なカバーキャップを有するものである請求項１乃至３のいずれか１項に記載の容器。
【発明の詳細な説明】
【０００１】
【発明の属する技術分野】
本発明は、内容物を充填する容器本体と、この容器本体の口部にて保持されるベースと、このベースにおいて押圧可能に取り付けられるヘッドと、このヘッドの押圧にて容器本体内の内容物を排出する長尺ノズルとを備える容器に関するものである。
【０００２】
【従来の技術】
長尺ノズルを備える容器は、容器本体に充填された内容物を長尺ノズルの先端部から排出することにより、目標とする箇所に内容物を適切に供給するものである。具体的には、喉に直接消炎剤などの薬剤を塗布するために用いられたり、狭い隙間に殺虫剤などの薬剤を噴射するために用いられる。
【０００３】
ところで、上記長尺ノズルは、使用時において便利であるが、容器を携帯したり収納する際などの不使用時においては邪魔になるという不都合がある。このため、長尺ノズルとヘッドとを別体に構成して、長尺ノズルを容器の軸線方向に回動可能に保持することにより、長尺ノズルを収納姿勢または注出姿勢に切り換え可能な容器が考えられる。
【０００４】
【発明が解決しようとする課題】
しかしながら、別体に構成した長尺ノズルがヘッドに対して回動する容器の場合、長尺ノズルを収納姿勢または注出姿勢に切り換える際に、長尺ノズルを手で抑えて回動させる必要があるため、長尺ノズルの先端部に使用者の指が接触してしまうという不都合が生じる。これは、衛生上好ましくないため、長尺ノズルを指などで触れずに収納姿勢または注出姿勢に切り換え可能な容器の需要が高まっている。
【０００５】
本発明は、上述した問題点を解消するためになされたものであって、使用者が長尺ノズルに直接接触することなく、長尺ノズルを収納姿勢または注出姿勢に切り換えることができる容器を提供することを目的とする。
【０００６】
【課題を解決するための手段】
第１発明である、長尺ノズルを備える容器は、内容物を充填する容器本体と、この容器本体の口部にて保持されるベースと、このベースにおいて押圧可能に取り付けられるヘッドと、このヘッドの押圧にて容器本体内の内容物を排出する長尺ノズルとを備える容器であって、前記ヘッドは、傾斜面を有し長尺ノズルを一体的に保持するノズルヘッド部と、このノズルヘッド部の傾斜面に適合する合せ面を有し該合せ面に沿って前記ノズルヘッド部を回動自在に保持するヘッド基部とからなり、前記ノズルヘッド部は、ヘッド基部に対する回動にて、長尺ノズルを容器本体の軸心に沿わせる収納姿勢と該長尺ノズルを引き起こした注出姿勢とに切り換える切り換え機能を有するものであることを特徴とするものである。
【０００７】
つまり本発明は、ノズルヘッド部をヘッド基部に対して回動させることにより、長尺ノズルを収納姿勢または注出姿勢に切り換えるから、使用者の指が長尺ノズルに接触することがない。従って、本発明によれば、長尺ノズルが清潔な状態に保たれるために衛生的である。加えて、本発明によれば、収納姿勢が長尺ノズルを容器本体の軸心に沿わせた状態であるため、最も効率的にコンパクト化された収納姿勢が可能になる。
【０００８】
第２発明である、長尺ノズルを備える容器は、第１発明において、前記ノズルヘッド部に設けられたストッパ面と、前記ベースに形成されたストッパ突起とからなり、このストッパ突起に、前記ノズルヘッド部のストッパ面が当該ノズルヘッド部の回動によって接触することにより、前記ノズルヘッド部の回動量を制限する位置決め機構を備えるものである。この場合、前記ノズルヘッド部が前記ベースに対して正確に位置決めできるため、収納姿勢への位置決めが容易な容器を提供することができる。
【０００９】
第３発明である、長尺ノズルを備える容器は、第１発明または第２発明において、前記ヘッド基部に形成されたストッパ突起又はストッパ溝と、前記ベースに形成されたストッパ溝又はストッパ突起とからなり、このストッパ溝又はストッパ突起に、前記ヘッド基部のストッパ突起又はストッパ溝が接触することにより、前記ヘッド基部の回動を防止する回り止め機構を備えるものである。この場合、前記ヘッド基部が前記ベースに対して相対回転することがないため、ノズルヘッド部の回動操作が容易な容器を提供することができる。
【００１０】
第４発明である、長尺ノズルを備える容器は、第１発明乃至第３発明のいずれか一発明において、前記長尺ノズルは、その先端部に着脱自在なカバーキャップを有するものである。この場合、長尺ノズルの先端部が常に清潔な状態に保たれるためにさらに衛生的である。
【００１１】
【発明の実施の形態】
以下、本発明の実施の形態を、添付図面に基づき詳細に説明する。
【００１２】
図１〜図４は、本発明である、長尺ノズルを備える容器の一実施形態を示したものであり、図１および図２はそれぞれ、その収納姿勢または注出姿勢の外観を示す斜視図、また、図３および図４はそれぞれ、その収納姿勢または注出姿勢を一部断面にて示す側面図である。
【００１３】
本実施形態は、喉の炎症を抑える薬剤を内容物とした合成樹脂製のスプレー式容器１００を例として示したものであって、薬剤を充填した容器本体１１０と、この容器本体１１０の口部にて保持されるベース１２０と、このベース１２０において押圧可能に取り付けられるヘッド１３０と、このヘッド１３０の押圧にて容器本体１１０内の内容物を排出する長尺ノズル１４０とを備える。なお、長尺ノズル１４０は、その先端部１４０ｅに着脱自在なカバーキャップ１５０を有する。カバーキャップ１５０は、不使用時における注出姿勢または収納姿勢で取り付けられている。
【００１４】
ヘッド１３０は、図３および図４に示す如く、スプレー式容器１００の側面から見て、斜め方向から分割されたノズルヘッド部１３１とヘッド基部１３２からなり、ノズルヘッド部１３１は、ヘッド基部１３２によって回転自在に支持される。
【００１５】
ノズルヘッド部１３１は、図３，４に示す如く、長尺ノズル１４０を一体的に保持する第１パーツ１３１ａと、傾斜面１３１ｆを有する第２パーツ１３１ｂとからなり、これらのパーツ１３１ａ，１３１ｂの内部にはそれぞれ、薬剤を排出するための通路Ｒ1および通路Ｒ2が形成されている。また、第１パーツ１３１ａの頂部には、使用者が指を引っ掛けてヘッド１３０を押圧するための平坦な押圧面１３１ｐが一体的に設けられている。
【００１６】
ヘッド基部１３２は、図３，４に示す如く、ノズルヘッド部１３１の傾斜面１３１ｆに適合する合せ面１３２ｆを有し、ヘッド基部１３２の内部には、噴霧装置１３４を介して容器本体１１０の口部につながり薬剤を排出するための通路Ｒ3が形成されている。また、ヘッド基部１３２は、合せ面１３２ｆ上に凸形状をした軸部分１３２ｐを備え、この軸部分１３２ｐがノズルヘッド部１３１の傾斜面１３１ｆに形成された軸穴１３１ｎに取り付けられることにより、ノズルヘッド部１３１を合せ面１３２ｆに沿って回動自在に保持している。
【００１７】
また、本実施形態では、ノズルヘッド部１３１とベース１２０との相互間に、ノズルヘッド部１３１の回動量を制限する位置決め機構を備える。
【００１８】
図５は、図２の領域Ａを示す拡大図である。この位置決め機構は、図１〜４に示す如く、ノズルヘッド部１３１に設けたストッパ面Ｓ1と、図２または図５に示す如く、ベース１２０のヘッド側縁部１２０ｅに形成されたストッパ突起Ｓ2とからなる。この場合、ベース１２０およびノズルヘッド部１３１間で容器本体１１０の軸心Ｏ（以下、容器軸線Ｏという）周りに生じる相対回転量、即ち、ノズルヘッド部１３１の回動量は、ストッパ面Ｓ1がストッパ突起Ｓ2の側面に接触することによって制限される。
【００１９】
さらに本実施形態では、ヘッド基部１３２およびベース１２０の相互間に、ヘッド基部１３２の回動を防止する回り止め機構を備える。
【００２０】
図６は、スプレー式容器１００のベース１２０付近をＸ−Ｘ断面から示す一部断面図である。この回り止め機構は、図６に示す如く、ベース１２０の内側に形成されたストッパ溝Ｓ3と、ヘッド基部１３２の外側に形成されたストッパ突起Ｓ4とからなる。この場合、ベース１２０およびヘッド基部１３２間で容器軸線Ｏ周りに生じる回動は、ストッパ突起Ｓ4の側面がストッパ溝Ｓ3の側面に接触することによって防止される。なお、回り止め機構は、ベース１２０の内側に形成されたストッパ突起と、ヘッド基部１３２の外側に形成されたストッパ溝とからなるものであっても良い。
【００２１】
ここで、スプレー式容器１００の作用効果を説明する。
【００２２】
スプレー式容器１００は、その使用時において、ノズルヘッド部１３１を回動軸線Ｏr周りにヘッド基部１３２に対して時計方向または反時計方向に回動させることにより、図２または図４に示す如く、長尺ノズル１４０を容器軸心Ｏと直交する向きに引き起こした注出姿勢に切り換える。このとき、ノズルヘッド部１３１およびヘッド基部１３２の内部に形成された通路Ｒ1，Ｒ2，Ｒ3はそれぞれ、噴霧装置１３４に連通する状態に整列する。なお、ノズルヘッド部１３１を回動させる際に生じるヘッド基部１３２の回転は、ヘッド基部１３２とベース１２０との相互間に設けたストッパ溝Ｓ3およびストッパ突起Ｓ4が互いに接触することによって防止されるため、ヘッド基部１３２がベース１２０に対してノズルヘッド部１３１と共に容器軸線Ｏ周りを回転することはない。
【００２３】
従って、スプレー式容器１００は、その注出姿勢において、長尺ノズルの先端部１４０ｅからノズルキャップ１５０を取り外し、ノズルヘッド部１３１、即ち、ヘッド１３０をベース１２０に対して押圧することにより、噴霧装置１３４が作動して、図４の矢印に示す如く、容器本体１１０内の薬剤が通路Ｒ1，Ｒ2，Ｒ3を経て長尺ノズルの先端部１４０ｅから外部に噴射される。
【００２４】
これに対して不使用時には、長尺ノズルの先端部１４０ｅにカバーキャップ１５０を取り付けた後、ノズルヘッド部１３１をヘッド基部１３２に対して回動軸線Ｏr周りに収納姿勢と同方向または逆方向に回動させることにより、長尺ノズル１４０を容器本体１１０の軸心Ｏに沿わせる収納姿勢に切り換える。このとき、ノズルヘッド部１３１の回動量は、ノズルヘッド部１３１とベース１３２との相互間に設けたストッパＳ1およびストッパＳ2が互いに接触することによって制限される。なお、ヘッド基部１３２の回転は、ストッパ溝Ｓ3およびストッパ突起Ｓ4によって防止されるため、ヘッド基部１３２がベース１２０に対してノズルヘッド部１３１と共に容器軸線Ｏ周りを回転しないことは勿論である。
【００２５】
つまり、スプレー式容器１００は、ノズルヘッド部１３１をヘッド基部１３２に対して回動させることにより、長尺ノズル１４０を収納姿勢または注出姿勢に切り換えるから、使用者の指が長尺ノズル１４０に接触することがない。従って、本実施形態によれば、長尺ノズル１４０が清潔な状態に保たれるために衛生的である。加えて、スプレー式容器１００によれば、収納姿勢が長尺ノズル１４０を容器本体１１０の軸心Ｏに沿わせた状態であるため、最も効率的にコンパクト化された収納姿勢が可能になる。
【００２６】
しかも、スプレー式容器１００は、ノズルヘッド部１３１とベース１３２との相互間に、ノズルヘッド部１３１の回動量を制限するストッパＳ1，Ｓ2からなる位置決め機構を備えるから、ノズルヘッド部１３１がベース１２０に対して正確に位置決めできるため、収納姿勢への位置決めが容易なスプレー式容器を提供することができる。
【００２７】
さらに、スプレー式容器１００は、ヘッド基部１３２とベース１２０との相互間に、ヘッド基部１３２の回動を防止するストッパ溝Ｓ3およびストッパ突起Ｓ4からなる回り止め機構を備えるから、ヘッド基部１３２がベース１２０に対して相対回転することがないため、ノズルヘッド部１３１の回動操作が容易なスプレー式容器を提供することができる。
【００２８】
また、スプレー式容器１００は、長尺ノズル１４０の先端部１４０ｅに着脱自在なカバーキャップ１５０を有するから、長尺ノズルの先端部１４０ｅが常に清潔な状態に保たれるためにさらに衛生的である。
【００２９】
上述したところは、本発明の好適な実施形態を示したに過ぎず、様々な変更を加えることができる。例えば、スプレー式容器１００は、エアゾール式以外にも、ワンプッシュ型のポンプ式容器であってもよい。また、ノズルヘッド部も２つのパーツに分割したものではなく、一体ものであってもよい。さらに容器本体に充填される内容物は、治療用薬剤のみならず、例えば、殺虫剤、接着剤などでもよい。
【００３０】
【発明の効果】
上述したことから明らかな如く、第１発明である、長尺ノズルを備える容器は、ノズルヘッド部をヘッド基部に対して回動させることにより、長尺ノズルを収納姿勢または注出姿勢に切り換えるから、使用者の指が長尺ノズルに接触することがない。従って、本発明によれば、長尺ノズルが清潔な状態に保たれるために衛生的である。加えて、本発明によれば、収納姿勢が長尺ノズルを容器本体の軸心に沿わせた状態であるため、最も効率的にコンパクト化された収納姿勢が可能になる。
【００３１】
第２発明は、第１発明において、ノズルヘッド部とベースとの相互間に、ノズルヘッド部の回動量を制限する位置決め機構を備えるから、ノズルヘッド部がベースに対して正確に位置決めできるため、収納姿勢への位置決めが容易な容器を提供することができる。
【００３２】
第３発明は、第１発明または第２発明において、ヘッド基部とベースとの相互間に、ヘッド基部の回動を防止する回り止め機構を備えるから、ヘッド基部がベースに対して相対回転することがないため、ノズルヘッド部の回動操作が容易な容器を提供することができる。
【００３３】
第４発明は、第１発明乃至第３発明のいずれか一発明において、長尺ノズルの先端部に着脱自在なカバーキャップを有するから、長尺ノズルの先端部が常に清潔な状態に保たれるためにさらに衛生的である。
【図面の簡単な説明】
【図１】  本発明の一実施形態であるスプレー式容器の収納姿勢を示す斜視図である。
【図２】  同実施形態において、スプレー式容器の注出姿勢を示す斜視図である。
【図３】  同実施形態において、スプレー式容器の収納姿勢を一部断面で示す図である。
【図４】  同実施形態において、スプレー式容器の注出姿勢を一部断面で示す図である。
【図５】  図２の領域Ａを示す拡大斜視図である。
【図６】  同実施形態において、スプレー式容器のベース付近をＸ−Ｘ断面から示す一部断面図である。
【符号の説明】
１００  スプレー式容器
１１０  容器本体
１２０  ベース
１２０ｅ  ベースのヘッド側縁部
１３０  ヘッド
１３１  ノズルヘッド部
１３１ａ  第１パーツ
１３１ｂ  第２パーツ
１３１ｆ  傾斜面
１３１ｎ  ノズルヘッド部の軸穴
１３１ｐ  押圧面
１３２  ヘッド基部
１３２ｆ  合せ面
１３２ｐ  ヘッド基部の軸部
１３４  スプレー装置
１４０  長尺ノズル
１４０ｅ  長尺ノズル先端部
１５０  ノズルキャップ
Ｏ  容器軸線（容器本体の軸心）
Ｏr  ノズルヘッド部の回動軸線
Ｒ1，Ｒ2，Ｒ3  内容物流路
Ｓ1  ストッパ面
Ｓ2  ストッパ突起
Ｓ3  ストッパ溝
Ｓ4  ストッパ突起
【図１】
0004601152.tif 000002
【図２】
0004601152.tif 000003
【図３】
0004601152.tif 000004
【図４】
0004601152.tif 000005
【図５】
0004601152.tif 000006
【図６】
0004601152.tif 000007